(57)【要約】【課題】所定サイズの磁気カード以外のカードが挿入された場合においても、容易に外部に排出することが可能な電動式磁気カードリーダライタ装置を提供すること。【解決手段】本発明による電動式磁気カードリーダライタ装置では、所定の磁気カード２３の搬送方向Ｆにおける長さを、予めＥＥＰＲＯＭ１４に記憶している。そして、カードが挿入されると、制御部１３は、このカードの搬送方向Ｆにおける長さを計測し、ＥＥＰＲＯＭ１４に記憶された長さと比較し、その差が予め定めた許容値以下である場合には、挿入されたカードを、所定の磁気カード２３と判定する。所定の磁気カード２３と判定した場合には、その後の動作を継続させる。一方、許容値を超える場合には、所定の磁気カード２３ではないと判定し、挿入されたカードを装置外部へと強制的に排出させる。【選択図】      図１
2006163824.tif 000002
【特許請求の範囲】
【請求項１】
挿入された所定の磁気カードを搬送しながらこの磁気カードに記録された情報の読み取り、及びこの磁気カードへの情報の書き込みを行う電動式磁気カードリーダライタ装置において、
挿入されたカードが搬送される搬送方向における長さを計測する計測手段と、
前記所定の磁気カードの前記搬送方向における長さを予め記憶した記憶手段と、
前記計測手段によって計測された長さと、前記記憶手段に記憶された長さとを比較し、その差が予め定めた許容値以下である場合には、前記挿入されたカードを、前記所定の磁気カードと判定し、前記許容値を超える場合には、前記挿入されたカードを、前記所定の磁気カードではないと判定する第１の判定手段と、
前記所定の磁気カードと判定された場合には、前記読み取り、又は前記書き込みのための動作を継続する制御手段と、
前記所定の磁気カードではないと判定された場合には、前記挿入されたカードを装置外部へと強制的に排出する排出手段と
を備えた電動式磁気カードリーダライタ装置。
【請求項２】
請求項１に記載の電動式磁気カードリーダライタ装置において、
前記所定の磁気カードではないと判定された場合には、エラー表示するエラー表示手段を更に備えた電動式磁気カードリーダライタ装置。
【請求項３】
請求項１又は請求項２に記載の電動式磁気カードリーダライタ装置において、
前記挿入されたカードが搬送されるカード搬送路と、
前記カード搬送路に沿ってそれぞれ配置され、前記カード搬送路に沿って搬送されたカードを検知すると検知信号を出力する複数のセンサと、
前記挿入されたカードを前記カード搬送路に沿って搬送する搬送手段と、
前記搬送手段を駆動するモータと、
前記モータの回転と共に回転し、所定の回転量毎にパルス信号を出力するエンコーダと、
前記エンコーダから出力されたパルス信号をカウントするとともに、前記エンコーダから前記パルス信号が出力された時間を計時する計時手段と
を更に備えた電動式磁気カードリーダライタ装置。
【請求項４】
請求項３に記載の電動式磁気カードリーダライタ装置において、
前記第１の判定手段に代えて、
前記計時手段によるカウント値が予め定めた許容カウント値範囲よりも小さい場合、又は前記計時手段による計時時間が予め定めた許容計時時間範囲よりも短い場合、又は前記カウント値が前記許容カウント値範囲よりも小さく、前記計時時間が前記許容計時時間範囲よりも短い場合には、前記挿入されたカードを、前記所定の磁気カードではなく、前記搬送方向における長さが、前記所定の磁気カードの搬送方向における長さよりも短いと判定し、
前記カウント値が前記許容カウント値範囲よりも大きい場合、又は前記計時時間が前記許容計時時間範囲よりも長い場合、又は前記カウント値が前記許容カウント値範囲よりも大きく、前記計時時間が前記許容計時時間範囲よりも長い場合には、前記挿入されたカードを、前記所定の磁気カードではなく、前記搬送方向における長さが、前記所定の磁気カードの搬送方向における長さよりも長いと判定し、
前記カウント値が前記許容カウント値範囲内であり、前記計時時間が前記許容計時時間範囲内である場合には、前記挿入されたカードを、前記所定の磁気カードと判定する第２の判定手段を備えた電動式磁気カードリーダライタ装置。
【請求項５】
挿入された所定の磁気カードを搬送しながらこの磁気カードに記録された情報の読み取り、及びこの磁気カードへの情報の書き込みを行う電動式磁気カードリーダライタ装置において、
挿入されたカードが搬送されるカード搬送路の底面上に、前記挿入されたカードの少なくとも下面の両端部をそれぞれ保持するレール状の複数の保持部材を、前記カード搬送路の搬送方向に沿って備えることにより、前記カード搬送路に粘着性の液体が流入した場合には、前記液体が前記搬送路の底面上から先に溜まるようにした電動式磁気カードリーダライタ装置。
【発明の詳細な説明】
【技術分野】
【０００１】
本発明は、電動式磁気カードリーダライタ装置に関し、特に、挿入された磁気カードの詰まりを防止する機能に関する。
【背景技術】
【０００２】
ホテルや病院施設などで、有料放送の視聴又はテレビ受像機の使用を、プリペイド方式の磁気カードを用いて有料化している場合、挿入された磁気カードを搬送し、該磁気カードに記録されている情報に基づいて有料放送の視聴やテレビ受像機の使用を可能にするために電動式磁気カードリーダライタ装置が広く用いられている。
【０００３】
この種の電動式磁気カードリーダライタ装置を上部から見た透視図を図８に示す。図８（ａ）は内部に磁気カードが挿入されていない場合、図８（ｂ）は内部に所定の磁気カード２３が挿入されている場合、図８（ｃ）は内部に所定外、すなわち所定よりも長さが短いカード２４が挿入されている場合をそれぞれ示している。
【０００４】
使用者が磁気カードを挿入口８から挿入すると、内部のカード検出センサ５ａ（「センサＡ」ともいう）によってこの磁気カードが検知され、図示しないモータが正転駆動される。そして、その動力がカード搬送ローラ２１に伝達され、挿入された磁気カードは、搬送されながら磁気ヘッド４に接触する。これによって、磁気カードに記録された情報が磁気ヘッド４によって読み取られたり、あるいは磁気ヘッド４によって必要な情報が磁気カードに書き込まれる。
【０００５】
ところで、使用者のなかには、好奇心や悪戯で所定の磁気カード以外のさまざまなサイズのカードを挿入する者がおり、カードの詰まりの要因となっている。図８にその構成を示すような電動式磁気カードリーダライタ装置は、所定サイズの磁気カード２３よりも長さが極端に短いカードや、幅が狭いカードの場合には、カード検出センサ５ａが検知できないのでカードを内部に搬送することはない。仮に、万が一搬送された場合でも、カード検出センサ５ｂ（「センサＢ」ともいう）が検知した時点でカード検出センサ５ａを通過していれば、カードを強制排出させるようになされている。さらにカード検出センサ５ａ，５ｂ，５ｃが全て検知するような長いカードの場合などはカード詰まり要因にはならないが、上記同様に強制排出が行なわれている。
【０００６】
図８（ｂ）は、所定サイズの磁気カード２３が挿入された場合、カード搬送ローラ２１による搬送により、磁気カード２３の先端２３ｂがカード検出センサ５ｃ（「センサＣ」ともいう）を通過した時点で停止した状態を示す図である。この場合、カード搬送ローラ２１が磁気カード２３の後端２３ａを噛んでいることから、モータ（図示せず）を逆転すれば磁気カード２３を排出することができる。
【発明の開示】
【発明が解決しようとする課題】
【０００７】
しかしながら、図８（ｃ）に示すように、所定サイズの磁気カード２３よりも短いカード２４においては、搬送されると、情性によりカード搬送ローラ２１からはずれ、内部に置かれた状態になり、カード詰まりを発生させるという問題がある。
【０００８】
さらに、上述したような従来の電動式磁気カードリーダライタ装置は、図９の立断面図に示すように、成形からなる２つのケース２５，２６を勘合してカード搬送路２７が形成されている。図１０（ａ）及び図１１（ａ）は、ケース２６及びケース２５について、カード搬送路２７を開いたところを上から見た図であり、図１０（ｂ）及び図１１（ｂ）は、図１０（ａ）におけるＹ−Ｙ線に沿った断面図、及び図１１（ａ）におけるＺ−Ｚ線に沿った断面図をそれぞれ示している。
【０００９】
ケース２５，２６にはそれぞれカード搬送路２７の横幅方向（搬送方向Ｆと直交する方向）における中央部付近に、カード搬送方向Ｆに沿って配置されている部材２８，２９があり、これにより、ケース２５とケース２６とが嵌合されカード搬送路２７が形成された場合には、図９に示すように、部材２８，２９が対向した箇所３０において部分的に隙間が狭くなる。したがって、万が一、カード使用者等が飲料する粘着性の高い液体などが誤って、あるいは悪戯によってカード搬送路２７に流入してしまうと、部材２８，２９の表面に付着する場合がある。このような状態で、磁気カード２３が挿入されると、挿入された磁気カード２３と、部材２８，２９とが接触する面積は無視できない量であるために、磁気カード２３の搬送不具合となり、所定サイズの磁気カード２３まで詰まる恐れがあるという問題がある。
【００１０】
本発明はこのような事情に鑑みてなされたものであり、その第１の目的は、所定サイズの磁気カード以外のカードが挿入された場合においても、容易に外部に排出することが可能な電動式磁気カードリーダライタ装置を提供することにある。
【００１１】
また、その第２の目的は、粘着性の高い液体などがカード搬送路に流入した場合においても、挿入されたカードが内部で詰まることなく、容易に外部に排出することが可能な電動式磁気カードリーダライタ装置を提供することにある。
【課題を解決するための手段】
【００１２】
上記の目的を達成するために、本発明では、以下のような手段を講じる。
【００１３】
すなわち、本発明の第１の局面は、挿入された所定の磁気カードを搬送しながらこの磁気カードに記録された情報の読み取り、及びこの磁気カードへの情報の書き込みを行う電動式磁気カードリーダライタ装置において、挿入されたカードが搬送される搬送方向における長さを計測する計測手段と、所定の磁気カードの搬送方向における長さを予め記憶した記憶手段と、計測手段によって計測された長さと、記憶手段に記憶された長さとを比較し、その差が予め定めた許容値以下である場合には、挿入されたカードを、所定の磁気カードと判定し、許容値を超える場合には、挿入されたカードを、所定の磁気カードではないと判定する第１の判定手段と、所定の磁気カードと判定された場合には、読み取り、又は書き込みのための動作を継続する制御手段と、所定の磁気カードではないと判定された場合には、挿入されたカードを装置外部へと強制的に排出する排出手段とを備える。
【００１４】
また、所定の磁気カードではないと判定された場合には、エラー表示するエラー表示手段を更に備えても良い。更には、挿入されたカードが搬送されるカード搬送路に沿ってそれぞれ配置され、カード搬送路に沿って搬送されたカードを検知している場合には、検知信号を出力する複数のセンサと、挿入されたカードをカード搬送路に沿って搬送する搬送手段を駆動するモータの回転と共に回転し、所定の回転量毎にパルス信号を出力するエンコーダと、エンコーダから出力されたパルス信号をカウントするとともに、エンコーダからパルス信号が出力された時間を計時する計時手段とを更に備えていても良い。
【００１５】
また、第１の判定手段に代えて、第２の判定手段を備えるようにしても良い。この第２の判定手段は、計時手段によるカウント値が予め定めた許容カウント値範囲よりも小さい場合、又は計時手段による計時時間が予め定めた許容計時時間範囲よりも短い場合、又はカウント値が許容カウント値範囲よりも小さく、計時時間が許容計時時間範囲よりも短い場合には、挿入されたカードを、所定の磁気カードではなく、搬送方向における長さが、所定の磁気カードの搬送方向における長さよりも短いと判定する。また、カウント値が許容カウント値範囲よりも大きい場合、又は計時時間が許容計時時間範囲よりも長い場合、又はカウント値が許容カウント値範囲よりも大きく、計時時間が許容計時時間範囲よりも長い場合には、挿入されたカードを、所定の磁気カードではなく、搬送方向における長さが、所定の磁気カードの搬送方向における長さよりも長いと判定する。そして、カウント値が許容カウント値範囲内であり、計時時間が許容計時時間範囲内である場合には、挿入されたカードを、所定の磁気カードと判定する。
【００１６】
従って、以上のような手段を講じた本発明の電動式磁気カードリーダライタ装置によれば、挿入されたカードが、所定の磁気カードであるか否かを判定することができる。更には、挿入されたカードが、所定の磁気カードではないと判定した場合には、装置外部へと強制的に排出することが可能となる。
【００１７】
また本発明の第２の局面は、挿入された所定の磁気カードを搬送しながらこの磁気カードに記録された情報の読み取り、及びこの磁気カードへの情報の書き込みを行う電動式磁気カードリーダライタ装置において、挿入されたカードが搬送されるカード搬送路の底面上に、挿入されたカードの少なくとも下面の両端部をそれぞれ保持するレール状の複数の保持部材を、カード搬送路の搬送方向に沿って備えることにより、カード搬送路に粘着性の液体が流入した場合には、液体が搬送路の底面上から先に溜まるようにしている。
【００１８】
従って、以上のような手段を講じた本発明の電動式磁気カードリーダライタ装置によれば、粘着性の高い液体などがカード搬送路に流入した場合には、搬送路の底面上から先に溜まるので、カードと接触する保持部材の上面に付着することはない。これによって、カードの安定した搬送性を確保することができるので、挿入されたカードが内部で詰まることなく、容易に装置外部に排出することが可能となる。
【発明の効果】
【００１９】
本発明の電動式磁気カードリーダライタ装置によれば、所定サイズの磁気カード以外のカードを挿入された場合においても、容易に外部に排出することが可能となる。
【００２０】
また、粘着性の高い液体などがカード搬送路に流入した場合においても、挿入されたカードが内部で詰まることなく、容易に外部に排出することが可能となる。
【発明を実施するための最良の形態】
【００２１】
以下に、本発明を実施するための最良の形態について図面を参照しながら説明する。
【００２２】
なお、以下の各実施の形態の説明に用いる図中の符号は、図８乃至図１１と同一部分については同一符号を付して示すことにする。
【００２３】
（第１の実施の形態）
図１は、本発明の第１の実施の形態に係る電動式磁気カードリーダライタ装置の一例を示す機能ブロック図である。また、図２は、磁気カードリーダライタ２を上部から見た透視図の一例である。
【００２４】
すなわち、第１の実施の形態に係る電動式磁気カードリーダライタ装置１は、磁気カードリーダライタ２と制御基板３とで構成している。磁気カードリーダライタ２は、成形された２つのケースに各機能部品が装着されたユニットであり、磁気カード２３に記録された情報の読み取り、又は磁気カード２３への情報の書き込みを行う磁気ヘッド４と、カード搬送路２７に沿ってそれぞれ配置され、各制御のタイミングを検出する発光及び受光を１対としたカード検出センサ５ａ，５ｂ，５ｃと、磁気カード搬送の動力源となるモータ６と、モータ６の回転軸に固定され、モータ６の回転に伴うパルス信号を出力するエンコーダ７とを装着している。
【００２５】
磁気ヘッド４は、読み取った磁気信号を電気信号に変換する信号処理部１１に接続され、信号処理部１１は、磁気ヘッド４からの磁気信号を電気信号に変換すると、この電気信号を、装置全体を統括制御する制御部１３に伝送する。又、磁気ヘッド４が、磁気カード２３に情報を書き込む場合には、逆に制御部１３が電気信号を信号処理部１１に送る。そして、信号処理部１１が、この電気信号を、磁気ヘッド４が磁気カード２３に記録可能な電気信号に変換した後に、磁気ヘッド４へ送り、磁気ヘッド４が、この電気信号を磁気カード２３に書き込む。
【００２６】
図２に示すように、磁気カードリーダライタ２のカード搬送路２７に沿ってそれぞれ配置されているカード検出センサ５ａ，５ｂ，５ｃは、カード搬送路２７に沿って搬送されたカードを検知すると、制御部１３へ検知信号を出力する。制御部１３は、これら出力された検知信号を、各制御のタイミングに用いる。
【００２７】
モータ６は、カード搬送路２７に挿入された磁気カード搬送のための動力源であり、制御部１３の制御に基づいてモータドライバ１２を介して正方向及び逆方向の回転を行ない、その動力を図２に示すカード搬送ローラ２１に伝達する。すなわち、カード搬送路２７に挿入されたカードを搬送方向Ｆに搬送する場合には、正回転を行い、カード搬送路２７に挿入されたカードを、電動式磁気カードリーダライタ装置１の外部へと排出するために搬送方向Ｆの逆方向にカードを搬送する場合には、逆回転を行う。
【００２８】
エンコーダ７からのパルス信号出力は、制御部１３に伝送され、制御部１３が、磁気カード２３に情報を書き込む場合の情報のクロックや、電動式磁気カードリーダライタ装置１のカード挿入口８からカード搬送路２７に挿入されたカードの、搬送方向Ｆにおける長さの計測のために使用する。
【００２９】
制御部１３は、共に図示しないＣＰＵや、不揮発性のＦＬＡＳＨＲＯＭ、ＲＡＭ等で構成され、不揮発性のＦＬＡＳＨＲＯＭは、電動式磁気カードリーダライタ装置１を動作させるプログラムを格納している。
【００３０】
ＥＥＰＲＯＭ１４は、所定の磁気カード２３の、搬送方向Ｆにおける長さ情報や、各種設定情報を記憶している。これら情報は、電気的に書換え可能である。
【００３１】
排出ボタン１５は、カード搬送路２７内で待機等しているカードを任意に排出する場合に使用する。
【００３２】
表示部１６は、複数の７セグメントＬＥＤ等で構成され、磁気カード２３から読み取った情報や、種々のエラー情報、ＥＥＰＲＯＭ１４等に設定した情報を表示する。
【００３３】
次に、上記のような構成の電動式磁気カードリーダライタ装置１の一般的な動作説明を行う。すなわち、上記のような構成の電動式磁気カードリーダライタ装置１に対して、カード挿入口８から磁気カード２３が挿入され、この磁気カード２３が、カード搬送路２７に設けられたカード検出センサ５ａによって検出されると、カード検出センサ５ａから制御部１３へ検知信号が出力される。
【００３４】
すると、制御部１３によってモータ６が正回転され、その動力がカード搬送ローラ２１に伝達される。これによって、挿入された磁気カード２３が、カード搬送ローラ２１に噛まれると、自動的に内部に搬送される。そして、搬送された磁気カード２３が、カード検出センサ５ｂによって検知されると、カード検出センサ５ｂから制御部１３へと検知信号が出力される。
【００３５】
カード検出センサ５ｂからの検知信号が制御部１３に出力されると、制御部１３によって磁気ヘッド４が制御され、この磁気カード２３に書き込まれている磁気情報の読み取り、又はこの磁気カード２３への磁気情報の書き込みがなされる。読み取られた磁気情報は、磁気ヘッド４から信号処理部１１に送られ、ここで電気信号に変換された後に制御部１３に伝送される。
【００３６】
磁気カード２３がカード搬送ローラ２１によって更に搬送方向Ｆに搬送され、カード検出センサ５ｃの検出範囲まで達すると、カード検出センサ５ｃによって検出され、カード検出センサ５ｃから制御部１３へと検知信号が出力される。
【００３７】
このようにしてカード検出センサ５ｃからの検出信号が制御部１３に出力されると、制御部１３によって、モータ６が停止され、磁気カード２３の搬送も停止される。そして、磁気ヘッド４によって読み取られた磁気情報が、制御部１３によって、正常であると判定された場合には、この磁気カード２３は、そのままの状態で保持される。一方、磁気ヘッド４によって読み取られた磁気情報が、制御部１３によって、正常ではないと判定された場合には、制御部１３によってモータドライバ１２が制御されることによりモータ６が逆回転し、磁気カード２３が強制的に装置の外部へと排出される。
【００３８】
なお、上述したように、カード検出センサ５ｃによって磁気カード２３が検出された場合には、制御部１３によってモータ６は停止されるが、磁気カード２３、特に、搬送方向Ｆに沿った長さが予め定めた許容下限値に近い磁気カード２３の場合には、モータ６が停止しても惰性によって、瞬時に停止するものではない。このため、このような磁気カード２３であってもカード搬送ローラ２１からはずれないように考慮して、制御部１３が、カード検出センサ５ｃから検知信号が出力された時点で、エンコーダ７の出力パルスの数パルスに相当する分逆回転させた後にモータ６を停止させることで、磁気カード２３を瞬時に停止させるようにしている。
【００３９】
次に、上記のような構成の電動式磁気カードリーダライタ装置１の具体的な動作説明を図３のフローチャートを用いて行う。
【００４０】
本実施の形態に係る電動式磁気カードリーダライタ装置１は、所定の磁気カード２３であると判定するために、搬送方向Ｆに沿った長さの許容範囲（例えば、所定の磁気カード２３の搬送方向に沿った長さとの差）を予め定めている。このような許容範囲を設けているのは、カード搬送ローラ２１の磨耗や、磁気カード２３の汚れなどを考慮してのもので、本実施の形態では、エンコーダ７のパルスカウント値を９５〜１３０パルス（許容カウント値範囲）とし、計時時間を３０ｍｓｅｃ〜４５ｍｓｅｃ（許容計時時間範囲）として予めＥＥＰＲＯＭ１４に記憶しておく。
【００４１】
磁気カードリーダライタ２のカード搬送路２７にカードが挿入されていない状態では、カード検出センサ５ａからの検知信号が、制御部１３によって監視されている（Ｓ０１）。そして、カード挿入口８からカードが挿入され、それがカード検出センサ５ａによって検出されれば（オン状態）、カード検出センサ５ａから制御部１３へと検知信号が出力される（Ｓ０１：Ｙｅｓ）。
【００４２】
これによって、制御部１３によってモータ６が正回転され、更にその動力がカード搬送ローラ２１に伝達され、このカードは搬送方向Ｆに沿って搬送が開始される（Ｓ０２）。カードがカード搬送ローラ２１によって搬送方向Ｆへ搬送され、カード検出センサ５ｂによって検出される（オン状態）と、カード検出センサ５ｂから検知信号が制御部１３に出力される（Ｓ０３：Ｙｅｓ）。すると、制御部１３によって、カード検出センサ５ａからの検知信号がまだ出力されているか、出力されていない（オフ状態）かが判定される（Ｓ０４）。
【００４３】
ステップＳ０４において、カード検出センサ５ａからの検知信号も出力されている場合（Ｓ０４：Ｎｏ）には、制御部１３によって、エンコーダ７からのパルス信号のカウント及び計時動作が開始される（Ｓ０５）。これは、カード検出センサ５ａがオフ状態になるまで、つまりカードの後端３が、カード検出センサ５ａを通過するまで繰り返され、オフ状態になったならばエンコーダ７からのパルス信号のカウント及び計時動作が終了する（Ｓ０６）。
【００４４】
図４は、ステップＳ０５においてなされる計時動作の期間を説明するためのタイミング図である。図４（ａ）は、カード検出センサ５ａがカードを検出してからオフ状態になるまでを示しており、図４（ｂ）は、カード検出センサ５ｂがカードを検出するようになる状態を示しており、図４（ｃ）は、ステップＳ０５においてなされる計時動作の期間を示している。
【００４５】
図４（ａ）、図４（ｂ）、及び図４（ｃ）に示すように、ステップＳ０５においてなされる計時動作は、カード検出センサ５ｂがオン状態になった時点から開始され、カード検出センサ５ａがオフ状態になった時点（Ｓ０４：Ｙｅｓ）で終了する（Ｓ０６）。
【００４６】
ステップＳ０５で得られたカウント値、及び計時時間は、制御部１３によって、ＥＥＰＲＯＭ１４に予め記憶しておいた許容カウント値範囲（例えば、９５〜１３０パルス）と、許容計時時間範囲（例えば、３０ｍｓｅｃ〜４５ｍｓｅｃ）とそれぞれ比較される。
【００４７】
そして、カウント値、及び計時時間ともに、許容カウント値範囲、及び許容計時時間範囲内である場合には、挿入されたカードは、制御部１３によって、所定の磁気カード２３であるものと判定され（Ｓ０７：Ｙｅｓ）、動作が継続される（Ｓ０８）。
【００４８】
一方、そうでない場合には、挿入されたカードは、制御部１３によって、所定の磁気カード２３ではないと判定される（Ｓ０７：Ｎｏ）。具体的には、カウント値が、許容カウント値範囲よりも小さい場合、又は計時時間が許容計時時間範囲よりも短い場合、又はカウント値が許容カウント値範囲よりも小さく、計時時間が許容計時時間範囲よりも短い場合には、挿入されたカードは、搬送方向Ｆにおける長さが所定の磁気カード２３のものよりも短いと判定される。また、カウント値が許容カウント値範囲よりも大きい場合、又は計時時間が許容計時時間範囲よりも長い場合、又はカウント値が許容カウント値範囲よりも大きく、計時時間が許容計時時間範囲よりも長い場合には、挿入されたカードは、搬送方向Ｆにおける長さが所定の磁気カード２３のものよりも長いと判定される。
【００４９】
このように、挿入されたカードが、所定の磁気カード２３ではないものと判定された場合には、制御部１３からの指示によって表示部１６からエラー表示がなされるとともに、制御部１３からの指示によってモータ６が逆回転され、挿入されたカードが装置の外部に強制的に排出される（Ｓ０９）。
【００５０】
上述したように、本実施の形態に係る電動式磁気カードリーダライタ装置においては、上記のような作用により、挿入されたカードが、所定の磁気カード２３であるか否かを判定することができる。更には、挿入されたカードが、所定の磁気カード２３ではないと判定された場合には、装置外部へと強制的に排出することが可能となる。
【００５１】
（第２の実施の形態）
本発明の第２の実施の形態を説明する。
【００５２】
すなわち、本実施の形態に係る電動式磁気カードリーダライタ装置は、図５の立断面図に示すように、成形からなる２つのケース２５，２６を嵌合してカード搬送路２７が形成されている。図６（ａ）及び図７（ａ）は、ケース２６及びケース２５について、カード搬送路２７を開いたところを上から見た図であり、図６（ｂ）及び図７（ｂ）は、図６（ａ）におけるＷ−Ｗ線に沿った断面図、及び図７（ａ）におけるＸ−Ｘ線に沿った断面図をそれぞれ示している。
【００５３】
そして、図５に示すように、カード搬送路２７の底面２７ａ上に、カード搬送路２７に挿入された磁気カード２３の下面の両端部のみを保持する一対のレール状の保持部材１９（＃１，＃２）を、搬送方向Ｆに沿って配置している。すなわち、保持部材１９（＃１）と保持部材１９（＃２）とは互いに平行に配置されるようにしている。更に、必要に応じて、カード搬送路２７の上面２７ｂにも同様に、カード搬送路２７に挿入された磁気カード２３の上面の両端部のみを保持する一対のレール状の保持部材２０（＃１，＃２）を、搬送方向Ｆに沿って配置するようにしても良い。保持部材２０（＃１，＃２）を配置する場合も同様に、保持部材２０（＃１）と保持部材２０（＃２）とは互いに平行に配置されるようにしている。
【００５４】
本実施の形態に係る電動式磁気カードリーダライタ装置においては、上述したような構成をしているので、万が一、カード使用者等が飲料する粘着性の高い液体などが誤って、あるいは悪戯によってカード搬送路２７に流入した場合であっても、この液体は、先ずは、カード搬送路２７の底面２７ａ上に溜まり、保持部材１９（＃１，＃２）が冠水しない限りは、磁気カード２３と接触する保持部材１９（＃１，＃２）の上面に付着することはない。また、磁気カード２３を保持する部位は、保持部材１９（＃１，＃２）のみに限られるが、これら保持部材１９（＃１，＃２）は、磁気カード２３の両端部を保持するように備えられている。
【００５５】
したがって、カード搬送路２７に高粘着性の液体等が流入した場合であっても、磁気カード２３の安定した搬送性を確保することができるので、挿入された磁気カード２３が内部で詰まることなく、容易に装置外部に排出することが可能となる。
【００５６】
また、保持部材２０（＃１，＃２）を更に設けることによって、例えば、磁気カード２３自体の上面に粘着性の液体等が付着したまま磁気カード２３がカード搬送路２７に挿入されたような場合であっても、この磁気カード２３が、付着した粘着性の液体によってカード搬送路２７の上面２７ｂに固着される可能性を極力低減することが可能となる。
【００５７】
なお、本実施の形態に係る電動式磁気カードリーダライタ装置は、上述したような保持部材１９，２０をカード搬送路２７に配置した構造に特徴があり、機能構成については、特に限定するものではない。したがって、第１の実施の形態で説明したような機能構成や、従来技術による機能構成や、その他の任意の機能構成を適用することが可能である。
【００５８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００５９】
【図１】第１の実施の形態に係る電動式磁気カードリーダライタ装置の一例を示す機能ブロック図。
【図２】磁気カードリーダライタを上部から見た透視図の一例。
【図３】第１の実施の形態に係る電動式磁気カードリーダライタ装置の具体的な動作説明を示すフローチャート。
【図４】計時動作の期間を説明するためのタイミング図。
【図５】第２の実施の形態に係る電動式磁気カードリーダライタ装置のカード搬送路を示す立断面図。
【図６】第２の実施の形態に係る電動式磁気カードリーダライタ装置のカード搬送路の底面側を示す平面図及び側面図。
【図７】第２の実施の形態に係る電動式磁気カードリーダライタ装置のカード搬送路の上面側を示す平面図及び側面図。
【図８】従来技術による電動式磁気カードリーダライタ装置を上部から見た透視図。
【図９】従来技術による電動式磁気カードリーダライタ装置のカード搬送路を示す立断面図。
【図１０】従来技術による電動式磁気カードリーダライタ装置のカード搬送路の底面側を示す平面図及び側面図。
【図１１】従来技術による電動式磁気カードリーダライタ装置のカード搬送路の上面側を示す平面図及び側面図。
【符号の説明】
【００６０】
１…電動式磁気カードリーダライタ装置、２…磁気カードリーダライタ、３…制御基板、４…磁気ヘッド、５ａ，５ｂ，５ｃ…カード検出センサ、６…モータ、７…エンコーダ、８…カード挿入口、１１…信号処理部、１２…モータドライバ、１３…制御部、１４…ＥＥＰＲＯＭ、１５…排出ボタン、１６…表示部、１９，２０…保持部材、２１…カード搬送ローラ、２３…磁気カード、２３ａ…カード後端、２３ｂ…カード先端、２４…カード、２５，２６…ケース、２７…カード搬送路、２７ａ…底面、２７ｂ…上面、２８，２９…部材
【図１】
2006163824.tif 000003
【図２】
2006163824.tif 000004
【図３】
2006163824.tif 000005
【図４】
2006163824.tif 000006
【図５】
2006163824.tif 000007
【図６】
2006163824.tif 000008
【図７】
2006163824.tif 000009
【図８】
2006163824.tif 000010
【図９】
2006163824.tif 000011
【図１０】
2006163824.tif 000012
【図１１】
2006163824.tif 000013